(57)【要約】【課題】セグメント電極を指定するための入力指示装置を利用して、複数の入力指示を可能とした入力指示装置を提供することを目的とする。【解決手段】複数のセグメント電極（１０１〜１１２）を有するセンサ用電極パターン（１００）と、複数のセグメント電極の何れが指示されたのかを検知する検知部（４０）を有し、検知部は、複数のセグメント電極の何れかが単独に指示された場合には各セグメント電極に対応した入力指示がなされたと判別し、複数のセグメントが連続的に指示された場合には、各セグメント電極に対応した入力指示以外の他の入力指示がなされたと判別することを特徴とする入力指示装置（１）。【選択図】図２
2009230539.tif 000002
【特許請求の範囲】
【請求項１】
複数のセグメント電極を有するセンサ用電極パターンと、
前記複数のセグメント電極の何れが指示されたのかを検知する検知部と、を有し、
前記検知部は、前記複数のセグメント電極の何れかが単独に指示された場合には各セグメント電極に対応した入力指示がなされたと判別し、前記複数のセグメントが連続的に指示された場合には、各セグメント電極に対応した入力指示以外の他の入力指示がなされたと判別する、
ことを特徴とする入力指示装置。
【請求項２】
前記検知部は、前記複数のセグメント電極が連続的に指示された場合には、連続的な指示のパターンに応じて入力指示内容を判別する、請求項１に記載の入力指示装置。
【請求項３】
前記検知部は、１つのセグメント電極の検知から次のセグメント電極の検知までの検知間隔に応じて、単独の指示か連続的な指示かを判別する、請求項１又は２に記載の入力指示装置。
【請求項４】
前記検知部は、各セグメント電極に対応した静電容量の変化に基づいて、前記複数のセグメント電極の何れが指示されたのかを検出する、請求項１〜３の何れか一項に記載の入力指示装置。
【請求項５】
前記センサ電極パターンの下に配置された液晶パネルを更に有し、
前記液晶パネルは、一対の透明基板と前記一対の透明基板間に挟持された液晶層と、前記液晶層を駆動するための透明電極パターンとを有し、
前記透明電極パターンは、前記センサ用電極パターンが有するセグメント電極と略同一のセグメント電極を有する、請求項１〜４の何れか一項に記載の入力指示装置。
【発明の詳細な説明】
【技術分野】
【０００１】
本発明は、入力指示装置に関し、特に複数のセグメント電極を有する入力指示装置に関する。
【背景技術】
【０００２】
複数のタッチスイッチを設け、複数のタッチスイッチに順次触れることによって、例えば照明装置の照度を変化させることができる制御機構が知られている（例えば、特許文献１）。また、特許文献１に示される制御機構では、ユーザの指が触れたスイッチを示すための表示用セグメント電極が設けられており、ユーザがタッチスイッチに触れると表示用セグメント電極が発光するように構成されている。
【０００３】
しかしながら、複数のタッチスイッチの利用方法は一定であり、各タッチスイッチを複数の方法で利用することはできなかった。
【０００４】
液晶表示装置と、液晶表示装置上に配置されたタッチパネルを利用して液晶表示装置上の選択位置情報を得る設定数値変更装置において、タッチパネル上でのユーザの指の移動を検出して液晶表示装置に表示される数値を変化させることが知られている（例えば、特許文献２）。
【０００５】
しかしながら、タッチパネルはユーザの指の移動のみを検出し、タッチパネルを複数の方法で利用することはできなかった。また、タッチパネルは、液晶表示装置全体に渡って、例えばマトリックス状に配置されている必要があった。
【０００６】
【特許文献１】特開昭５８−４４８２０号公報（第１図〜第４図）
【特許文献２】特開平１１−３３８６００号公報（図３）
【発明の開示】
【発明が解決しようとする課題】
【０００７】
そこで、本発明は、上記の問題点を解決することを可能とする入力指示装置を提供することを目的とする。
【０００８】
また、本発明は、複数のセグメント電極の何れかを指示するための入力指示装置を利用して、複数方法の入力指示を可能とした入力指示装置を提供することを目的とする。
【課題を解決するための手段】
【０００９】
本発明に係る入力指示装置では、複数のセグメント電極を有するセンサ用電極パターンと、複数のセグメント電極の何れが指示されたのかを検知する検知部を有し、検知部は、複数のセグメント電極の何れかが単独に指示された場合には各セグメント電極に対応した入力指示がなされたと判別し、複数のセグメントが連続的に指示された場合には、各セグメント電極に対応した入力指示以外の他の入力指示がなされたと判別することを特徴とする。
【００１０】
また、本発明に係る入力指示装置では、検知部は、複数のセグメント電極が連続的に指示された場合には、連続的な指示のパターンに応じて入力指示内容を判別することが好ましい。
【００１１】
さらに、本発明に係る入力指示装置では、検知部は、１つのセグメント電極の検知から次のセグメント電極の検知までの検知間隔に応じて、単独の指示か連続的な指示かを判別することが好ましい。
【００１２】
さらに、本発明に係る入力指示装置では、検知部は、各セグメント電極に対応した静電容量の変化に基づいて、複数のセグメント電極の何れが指示されたのかを検出することが好ましい。
【００１３】
さらに、本発明に係る入力指示装置では、センサ電極パターンの下に配置された液晶パネルを更に有し、液晶パネルは一対の透明基板と前記一対の透明基板間に挟持された液晶層と、液晶層を駆動するための透明電極パターンとを有し、透明電極パターンはセンサ用電極パターンが有するセグメント電極と略同一のセグメント電極を有することが好ましい。
【発明の効果】
【００１４】
本発明に係る入力指示装置によれば、複数のセグメント電極への連続的な指示及びそのパターンを利用して、各セグメント電極に対応した入力指示以外の他の入力指示を行えるため、簡単な構成で多数の入力指示を行うことが可能となった。
【発明を実施するための最良の形態】
【００１５】
以下図面を参照して、本発明に係る入力指示装置について説明する。但し、本発明の技術的範囲はそれらの実施の形態に限定されず、特許請求の範囲に記載された発明とその均等物に及ぶ点に留意されたい。
【００１６】
図１は、本発明に係る入力指示装置１の概略断面図である。
【００１７】
入力指示装置１は、タッチパネル１０、液晶パネル２０及びバックライト３０等から構成される。入力指示装置１は、例えば、携帯電話の入力指示装置として携帯電話の外枠構造内に配置されることができるが、図１においては、携帯電話の外枠構造等は省略している。
【００１８】
タッチパネル１０は、所謂静電容量方式のタッチパネルであって、ガラスやプラスチック基板等より構成される透明保護層１１、センサ用電極パターン１００及び後述する検知回路４０等を有している。
【００１９】
センサ用電極パターン１００は、透明保護層１１上に、それぞれスパッタリング法によって厚さ約０．０３μｍのＩＴＯから構成された透明導電膜を蒸着し、その後エッチングによって不要な部分を除去することによって複数のセグメント電極にパターン化されている。
【００２０】
液晶パネル２０は、偏光板（図示せず）、第１透明基板２１、第２透明基板２６、シール部材２９、第１及び第２透明基板間２１及び２６の間隔を保持するために複数配置されたスペーサ２８、第１及び第２透明基板２１及び２６とシール部材２９間に封入された液晶層２７等を有している。
【００２１】
第１透明基板２１上には透明電極パターン２００及び第１配向膜２３が形成され、第２透明基板２６上にはコモン電極２５及び第２配向膜２４が形成されている。なお、説明のために、縮尺が実際と異なる場合がある点に留意されたい。
【００２２】
液晶層１７には、ＴＮ（ツイステッドネマティック）液晶等が用いられる。
【００２３】
第１及び第２透明基板２１及び２６は、可撓性であって、厚さ１００μｍのポリカーボネイト樹脂によって形成されている。しかしながら、第１及び第２透明基板２１及び２６は、これに限定されるものではなく、変性アクリル樹脂、ポリメタクリル樹脂、ポリエーテルサルフォン樹脂、ポリエチレンテレフタレート樹脂、ノルボルテン樹脂、ガラス等であっても良く、また厚さも５０μｍ〜７００μｍとすることができる。
【００２４】
透明電極パターン２００及びコモン電極２５は、第１及び第２透明基板２１及び２６上に、それぞれスパッタリング法によって厚さ約０．０３μｍのＩＴＯから構成された透明導電膜を蒸着し、その後エッチングによって不要な部分を除去することによってパターン化されている。
【００２５】
バックライト３０は、ＥＬ発光層、導光板及びＬＥＤ等から構成されている。
【００２６】
タッチパネル１０は、液晶パネル２０の視認側に配置されており、したがって、ユーザはタッチパネル１０側から液晶パネル２０を観察することとなる。液晶パネル２０では、透明電極パターン２００及びコモン電極２５間に所定の交番電圧が印加されることによって、液晶層２７を透過モードと非透過モードに切り替えて制御している。例えば、透明電極パターン２００における所定のセグメント電極の部分に対応する液晶層２７のみを透過モードで駆動し、他の部分を非透過モードで駆動して、バックライト３０を点灯させることによって、セグメント電極の形状に対応した部分のみをバックライト３０の光によって浮き上がらせることができる。
【００２７】
図２は、センサ用電極パターン１００のパターンの一例を示す図である。
【００２８】
センサ電極パターン１００には、「アプリ」の文字形状をした第１セグメント電極１０１、上向きの矢印の形状をした第２セグメント電極１０２、カメライメージさせるイラスト形状をした第３セグメント電極１０３、左向きの矢印の形状をした第４セグメント電極１０４、長方形、正方形及び直角三角形の形状を組み合わせた形状をした第５セグメント電極、右向きの矢印の形状をした第６セグメント電極１０６、受話器が傾いた形状をした第７セグメント電極１０７、下向きの矢印の形状をした第８セグメント電極１０８、受話器の形状をした打９セグメント電極１０９、手帳の形状をした第１０セグメント電極１１０、「ＣＬＲ」の文字形状をした第１１セグメント電極１１１、「ＰＷＲ」の文字形状をした第１１セグメント電極１１２の計１２個のセグメント電極が配置されている。
【００２９】
また、第１セグメント電極１０１〜第１２セグメント電極１１２は、それぞれ第１配線１２１〜第１２配線１３２によって、検知回路４０と接続されている。
【００３０】
図３は、図２に示すセンサ電極パターン上に指が触れた場合の静電容量を示す図である。
【００３１】
図３に示すように、例えば、第２セグメント電極１０２が配置された部分に対応する透明保護層１１上にユーザの指２が置かれると、第２セグメント電極１０２と指の間の静電容量と指を介した人体の静電容量の総和Ｃｈが発生する。検知回路４０では、この静電容量Ｃｈを検知することによって、何れのセグメント電極に対応した透明保護層１１上にユーザの指２が置かれたのかを検知することができる。
【００３２】
図４は、第２セグメント電極１０２に対する検知回路の概略構成を示す図である。
【００３３】
検知回路４０は、電源電圧ＶＤＤ、第２セグメント電極１０２、第２セグメント電極１０２と指２との間に発生する静電容量と指を介した人体の静電容量の総和Ｃｈ、静電容量Ｃｈと並列に配置された固定静電容量Ｃｓ、定電流源４１、スイッチＳＷ４２、比較回路４３、ＰＷＭユニット４４、タイマユニット４５、タイマユニット用の発振器４６、及びＣＰＵ、ＲＯＭ及びＲＡＭ等を含んで構成される制御部４７等から構成されている。検知回路４０は、静電容量結合方式による容量変化によって、第２セグメント電極１０２上に指２が置かれたか否かを検出する。
【００３４】
第２セグメント電極１０２に対応する透明保護層１１上にユーザの指２が置かれない場合には、静電容量Ｃｈが存在しないので、定電流源４１で充電する静電容量は固定静電容量Ｃｓのみであるが、ユーザの指２が置かれた場合には、静電容量Ｃｈが存在することとなり、定電流源４１で充電する静電容量は、Ｃｓ＋Ｃｈとなる。
【００３５】
初期状態は、ＳＷ４２はＯＦＦしており、固定静電容量Ｃｓの端子電圧はＯＶであって、比較回路４３の出力はＬＯＷであるものとする。すると、定電流源４１によって固定静電容量Ｃｓ（又はＣｓ＋Ｃｈ）が充電されて、Ｃｓの端子電圧Ｖｉが上昇する。端子電圧Ｖｉは基準電圧Ｖｒｅｆと比較回路４３において常時比較されており、端子電圧Ｖｉが基準電圧Ｖｒｅｆ以上となると、比較回路４３の出力はＨＩＧＨへ切り替る。比較回路４３の出力がＨＩＧＨとなることによって、ＳＷ４２がＯＮされるので、固定静電容量Ｃｓ（又はＣｓ＋Ｃｈ）に充電された電荷はＳＷ４２を介して放電し、固定静電容量Ｃｓの端子電圧Ｖｉは０Ｖに復帰する。したがって、比較回路４３の出力はＬＯＷに戻ることとなる。即ち、比較回路４３は所定のタイミングで、ＬＯＷとＨＩＧＨの出力を繰り返し行うこととなる。
【００３６】
ＰＷＭユニット４４は、比較回路４３の出力がＬＯＷからＨＩＧＨに変化するまでの間隔に対応したパルス幅を有する信号を出力する。タイマユニット４５は、発振器４６からの発振パルスに基づいて、ＰＷＭユニット４４が出力する信号のパルス幅に対応したパルス数を計測して、計測結果を制御部４７へ出力する。制御部４７では、計測結果に基づいて、第２セグメント電極１０２に対応する透明保護層１１上にユーザの指２が配置されたか否かの判断を行う。
【００３７】
図４では、第２セグメント電極１０２上にユーザの指２が配置されたか否かの検知を行うための検知回路４０の一例を示しているが、実際には第１セグメント電極１０１〜第１２セグメント電極１１２の全てに対して同様の回路が検知回路４０に実装されているものとする。また、少なくとも、制御部４７は、全てのセグメント電極の検知に兼用されるものとし、制御部４７のＲＡＭには、少なくとも検知されたセグメント電極、検知順序及び検知間隔が記録されるものとする。さらに、図４に示す静電容量の変化を検知する回路構成は一例であって、他の回路構成を採用することも可能である。
【００３８】
図５は、固定静電容量Ｃｓの端子電圧Ｖｉの一例を示す図である。
【００３９】
図５（ａ）はユーザの指２が置かれ、合計の静電容量がＣｓ＋Ｃｈである場合を示し、図５（ｂ）はユーザの指２が置かれず、合計の静電容量がＣｓのみ場合を示している。図５（ａ）及び（ｂ）において、縦軸はＣｓの端子電圧Ｖｉを示し、横軸は時間Ｔを示している。
【００４０】
図に示すように、ユーザの指２が置かれた場合には、合計の静電容量が大きいため、比較回路４３の出力がＬＯＷからＨＩＧＨへ切り替わる期間Ｔ１が、ユーザの指が置かれなかった場合の期間Ｔ２より長くなる。したがって、制御部４７は、タイマユニット４５からの計測結果に基づいて、ユーザの指がセンサ電極パターン上に置かれたか否かを判別することが可能となる。
【００４１】
上述したように、タッチパネル１０では、第１セグメント電極１０１〜第１２セグメント電極１１２のどのセグメント電極に対応する透明保護層１１上にユーザの指２が置かれたのかを検知することが可能である。
【００４２】
図６は、液晶パネル２０の透明電極パターン２００の一例を示す図である。
【００４３】
第１透明電極パターン２００は、図２に示すセンサ用電極パターン１００に配置されたセグメント電極と同様な第１セグメント電極２０１〜第１２セグメント電極２１２を有している。また、各セグメント電極には、電圧を印加するための第１配線２２１〜第１２配線２３２が接続されている。
【００４４】
液晶パネル２０では、所望のセグメント電極（第１セグメント電極２０１〜第１２セグメント電極２１２）とコモン電極２５との間に、不図示の駆動部から所定の交番電圧を印加して、電極間の液晶層の透過・非透過を制御することによってセグメント電極の表示を行うことができる（パッシブ駆動）。
【００４５】
図７は、タッチパネル１０における第１の入力指示パターン例を示した図である。
【００４６】
図７に示したセンサ用電極パターン１００では、説明の便宜上、図２に示した第１配線１２１〜第１２配線１３２を省略して示している。
【００４７】
図７に示す第１の入力指示パターンは、タッチパネル１０の保護層１１上を、ユーザの指２が、図面上において左下方から右上方に移動した場合と定義する。即ち、検知回路４０の制御部４７は、第７セグメント電極１０７→第５セグメント電極１０５→第３セグメント電極１０３の順（矢印７０参照）、第１０セグメント電極１１０→第８セグメント電極１０８→第６セグメント電極１０６の順（矢印７１参照）、又は第１０セグメント電極１１０→第８セグメント電極１０８→第５セグメント電極１０５→第３セグメント電極１０３の順（矢印７２）で、ユーザの指２がそれぞれのセグメント電極に対応する透明保護層１１上で連続的に検出された場合に、第１の入力指示がなされたと判断する。
【００４８】
第１の入力指示があった場合には、不図示の携帯電話の制御機構では、例えば、携帯電話をデジタルカメラの撮影モードに切り替えるように動作させることができる。
【００４９】
図８は、タッチパネル１０における第２の入力指示パターン例を示した図である。
【００５０】
図８に示したセンサ用電極パターン１００では、説明の便宜上、図２に示した第１配線１２１〜第１２配線１３２を省略して示している。
【００５１】
図８に示す第１の入力指示パターンは、タッチパネル１０の保護層１１上を、ユーザの指２が、図面上において右上方から左下方に移動した場合と定義する。即ち、検知回路４０の制御部４７は、第３セグメント電極１０３→第５セグメント電極１０５→第７セグメント電極１０７の順（矢印８０参照）、第６セグメント電極１０６→第８セグメント電極１０８→第１０セグメント電極１１０の順（矢印８１参照）、又は第３セグメント電極１０３→第５セグメント電極１０５→第８セグメント電極１０８→第１０セグメント電極１１０の順（矢印８２）で、ユーザの指２がそれぞれのセグメント電極に対応する透明保護層１１上で連続的に検出された場合に、第２の入力指示がなされたと判断する。
【００５２】
第２の入力指示があった場合には、不図示の携帯電話の制御機構では、例えば、携帯電話を記録されている楽曲データを再生する楽曲再生モードに切り替えるように動作させることができる。
【００５３】
図９は、タッチパネル１０における第３の入力指示パターン例を示した図である。
【００５４】
図９に示したセンサ用電極パターン１００では、説明の便宜上、図２に示した第１配線１２１〜第１２配線１３２を省略して示している。
【００５５】
図９に示す第１の入力指示パターンは、タッチパネル１０の保護層１１上を、ユーザの指２が、図面上において左側から右側に移動した場合と定義する。即ち、検知回路４０の制御部４７は、第１セグメント電極１０１→第２セグメント電極１０２→第３セグメント電極１０３の順（矢印９０参照）、第４セグメント電極１０４→第５セグメント電極１０５→第６セグメント電極１０６の順（矢印９１参照）、第７セグメント電極１０７→第８セグメント電極１０８→第９セグメント電極１０９の順（矢印９２参照）、又は第１０セグメント電極１１０→第１１セグメント電極１１１→第１２セグメント電極１１２の順（矢印９３参照）で、ユーザの指２がそれぞれのセグメント電極に対応する透明保護層１１上で連続的に検出された場合に、第３の入力指示がなされたと判断する。
【００５６】
第３の入力指示があった場合には、不図示の携帯電話の制御機構では、例えば、不図示のスピーカの出力音声を１ステップ分アップさせるように動作させることができる。
【００５７】
図１０は、タッチパネル１０における第４の入力指示パターン例を示した図である。
【００５８】
図１０に示したセンサ用電極パターン１００では、説明の便宜上、図２に示した第１配線１２１〜第１２配線１３２を省略して示している。
【００５９】
図１０に示す第１の入力指示パターンは、タッチパネル１０の保護層１１上を、ユーザの指２が、図面上において左側から右側に移動した場合と定義する。即ち、検知回路４０の制御部４７は、第３セグメント電極１０３→第２セグメント電極１０２→第１セグメント電極１０１の順（矢印９４参照）、第６セグメント電極１０６→第５セグメント電極１０５→第４セグメント電極１０４の順（矢印９５参照）、第９セグメント電極１０９→第８セグメント電極１０８→第７セグメント電極１０７の順（矢印９６参照）、又は第１２セグメント電極１１２→第１１セグメント電極１１１→第１０セグメント電極１１０の順（矢印９７参照）で、ユーザの指２がそれぞれのセグメント電極に対応する透明保護層１１上で連続的に検出された場合に、第４の入力指示がなされたと判断する。
【００６０】
第４の入力指示があった場合には、不図示の携帯電話の制御機構では、例えば、不図示のスピーカの出力音声を１ステップ分ダウンさせるように動作させることができる。
【００６１】
また、上述した４つの入力指示パターンは一例であって、２つ以上の連続するセグメント電極の検知によって、任意の指示内容を設定することができる。
【００６２】
さらに、上述した４つの入力指示パターンによる指示内容も一例であって、他の指示内容、例えば、第１の入力指示パターンが検知された場合には、カメラの撮影モードではなく、ＴＶを視聴するモードに切り替えるようにしても良い。
【００６３】
図１１は、検知処理フローの一例を示す図である。
【００６４】
図１１に示す処理フローは、制御部４７のＲＯＭ等に予め記憶されたプログラムにしたがって、制御部４７のＣＰＵによって実行される。図１１に示される一連の処理は、所定時間毎に自動的に繰り返し実行される。
【００６５】
最初に、第１セグメント電極１０１〜第１２セグメント電極１１２の何れかによる検知がなされたか否かが判断され（Ｓ１０）、検知がなされていない場合には、一連の処理を終了する。
【００６６】
Ｓ１０において、検知がなされた場合には、それが単独の指示なのか、連続的な指示なのかが判断される（Ｓ１１）。制御部４７では、第１セグメント電極１０１〜第１２セグメント電極１１２の何れかによる検知がなされた場合には、制御部４７のＲＡＭ等に検知がなされたセグメント電極の種類と検知間隔が自動的に連続的に記録されるように構成されており、Ｓ１１は、制御部４７のＲＡＭの記録内容に応じて判断する。
【００６７】
単独の指示か連続的な指示かは、検知間隔が閾値以下か否かによって判別する。例えば、検知間隔が０．５秒以下の場合には、連続的な指示であると判断することができる。なお、閾値となる０．５秒は一例であって、検知回路の検知に必要な時間や経験則等に基づいて最適な他の値を閾値として利用することも可能である。
【００６８】
Ｓ１１において、単独の指示であると判別された場合には、各セグメント電極に対応した指示入力がなされたものと判別して（Ｓ１６）、一連の処理を終了する。各セグメント電極に対応した指示入力とは、例えば、第１セグメント電極１０１がアプリケーションプログラムの実行であり、第３セグメント電極がカメラのシャッターボタンＯＮというものである。
【００６９】
Ｓ１１において、連続的な指示であると判別された場合には、予め制御部４７のＲＯＭ等に記録されている第１の入力指示パターン（図７参照）と検知された連続的な指示が一致するか否かが判別される（Ｓ１２）。Ｓ１２において、第１の入力指示パターンと一致した場合には、カメラの撮影モードへの変更指示であると判別して（Ｓ１７）、一連の処理を終了する。
【００７０】
Ｓ１２において、第１の入力指示パターンと一致しない場合には、予め制御部４７のＲＯＭ等に記録されている第２の入力指示パターン（図８参照）と検知された連続的な指示が一致するか否かが判別される（Ｓ１３）。Ｓ１３において、第２の入力指示パターンと一致した場合には、楽曲再生モードへの変更指示であると判別して（Ｓ１８）、一連の処理を終了する。
【００７１】
Ｓ１３において、第２の入力指示パターンと一致しない場合には、予め制御部４７のＲＯＭ等に記録されている第３の入力指示パターン（図９参照）と検知された連続的な指示が一致するか否かが判別される（Ｓ１４）。Ｓ１４において、第３の入力指示パターンと一致した場合には、ボリュームＵＰの入力指示であると判別して（Ｓ１９）、一連の処理を終了する。
【００７２】
Ｓ１４において、第３の入力指示パターンと一致しない場合には、予め制御部４７のＲＯＭ等に記録されている第４の入力指示パターン（図１０参照）と検知された連続的な指示が一致するか否かが判別される（Ｓ１５）。Ｓ１５において、第４の入力指示パターンと一致した場合には、ボリュームＤＯＷＮの入力指示であると判別して（Ｓ２０）、一連の処理を終了する。
【００７３】
Ｓ１５において、第４の入力指示パターンと一致しない場合には、入力指示が不明であると判別して、所定動作（例えば、警報、警告表示等）を行って、一連の処理を終了する。
【００７４】
図１１に示したような処理フローに従って、入力指示の判別を行うので、各セグメント電極に対応した入力指示のみならず、連続的な指示による他の入力指示をも判別することができるようになった。したがって、セグメント電極のみを利用したタッチパネル（入力指示装置）において、セグメント電極に対応していない入力指示を行うことも可能となった。
【図面の簡単な説明】
【００７５】
【図１】本発明に係る表示装置１の概略断面図である。
【図２】センサ電極パターン１００のパターンの一例を示す図である。
【図３】図２に示すセンサ電極パターン上に指が触れた場合の静電容量を示す図である。
【図４】第２セグメント電極１０２に対する検知回路の概略構成を示す図である。
【図５】固定静電容量Ｃｓの端子電圧Ｖｉの一例を示す図である。
【図６】液晶パネル２０の第１透明電極パターン２００の一例を示す図である。
【図７】タッチパネル１０における第１の入力指示パターン例を示した図である。
【図８】タッチパネル１０における第２の入力指示パターン例を示した図である。
【図９】タッチパネル１０における第３の入力指示パターン例を示した図である。
【図１０】タッチパネル１０における第４の入力指示パターン例を示した図である。
【図１１】検知処理フローの一例を示す図である。
【符号の説明】
【００７６】
１    表示装置
１０    タッチパネル
１１    保護層
２０    液晶パネル
４０    検知回路
４７    制御部
１００    センサ電極パターン
１０１〜１１２    セグメント電極
２００    透明電極パターン
２０１〜２１２    セグメント電極
【図１】
2009230539.tif 000003
【図２】
2009230539.tif 000004
【図３】
2009230539.tif 000005
【図４】
2009230539.tif 000006
【図５】
2009230539.tif 000007
【図６】
2009230539.tif 000008
【図７】
2009230539.tif 000009
【図８】
2009230539.tif 000010
【図９】
2009230539.tif 000011
【図１０】
2009230539.tif 000012
【図１１】
2009230539.tif 000013